(57)【要約】【課題】輝度表現を多様化することが可能なプラズマ表示装置及びプラズマ表示装置の駆動方法を提供する。【解決手段】本発明によるプラズマ表示装置の駆動方法は、１フレームを複数のサブフィールドに分割して駆動し、複数サブフィールドのうち少なくともいずれか１サブフィールドに割り当てられたサステインパルスをハイレベル電圧の印加時点の相異なる少なくとも２つのサステインパルスに分類するステップと、少なくとも２つのサステインパルスを表示動作を行う第１及び第２電極に供給するステップとを含み、少なくとも２つのサステインパルスは周期が互いに同じであることを特徴とする。【選択図】図９
2008070858.tif 000002
【特許請求の範囲】
【請求項１】
１フレームを複数のサブフィールドに分割して駆動するプラズマ表示装置の駆動方法において、
前記複数のサブフィールドのうち少なくともいずれか１つのサブフィールドに割り当てられたサステインパルスを、ハイレベル電圧の印加時点が異なる少なくとも２つのサステインパルスに分類するステップと、
前記少なくとも２つのサステインパルスを、表示動作を行う第１電極及び第２電極に供給するステップと、を含み、
前記少なくとも２つのサステインパルスは、周期が同じであることを特徴とする、プラズマ表示装置の駆動方法。
【請求項２】
前記少なくとも２つのサステインパルスに分類するステップは、
第１サステインパルスと、ハイレベル電圧の印加時点が前記第１サステインパルスより早い第２サステインパルスとに分類するステップを含むことを特徴とする、請求項１に記載のプラズマ表示装置の駆動方法。
【請求項３】
前記少なくとも２つのサステインパルスに分類するステップは、
前記１フレームの間に入力される複数の映像信号から画面負荷率を計算するステップと、
前記画面負荷率に応じて前記１フレームの間のサステインパルスの総個数を決定するステップと、
前記サステインパルスの総個数から前記複数のサブフィールドにそれぞれ割り当てられた第１サステインパルスの個数を第１個数として設定し、前記第２サステインパルスの個数を前記総個数と前記第１個数との差である第２個数として設定するステップと、を含むことを特徴とする、請求項２に記載のプラズマ表示装置の駆動方法。
【請求項４】
前記第１及び第２サステインパルスの個数を設定するステップは、
前記画面負荷率が高い場合、前記第１個数に対する前記第２個数の割合を高め、前記画面負荷率が低い場合、前記第１個数に対する前記第２個数の割合を低めるステップを含むことを特徴とする、請求項３に記載のプラズマ表示装置の駆動方法。
【請求項５】
前記少なくとも２つのサステインパルスに分類するステップは、
前記複数の映像信号をそれぞれ複数のサブフィールドデータに変換するステップと、
前記各サブフィールドにおいて、前記複数のサブフィールドデータのうち該当サブフィールドに対応するデータから前記該当サブフィールドにおける表示負荷率を計算するステップと、
前記表示負荷率に応じて前記サステインパルスの総個数から前記複数のサブフィールドにそれぞれ割り当てられた第１サステインパルスの個数を第１個数として設定し、前記第２サステインパルスの個数を前記総個数と前記第１個数との差である第２個数として設定するステップを含むことを特徴とする、請求項２に記載のプラズマ表示装置の駆動方法。
【請求項６】
前記第１及び第２サステインパルスの個数を設定するステップは、
前記表示負荷率が高い場合、前記第１個数に対する前記第２個数の割合を高め、前記表示負荷率が低い場合、前記第１個数に対する前記第２個数の割合を低めるステップを含むことを特徴とする、請求項５に記載のプラズマ表示装置の駆動方法。
【請求項７】
複数の第１電極と前記複数の第１電極とともに表示動作を行う複数の第２電極とを含むプラズマ表示パネルと、
１フレームを複数のサブフィールドに分割し、前記複数のサブフィールドのうち少なくともいずれか１つのサブフィールドに割り当てられたサステインパルスをハイレベル電圧の印加時点が異なる少なくとも２つのサステインパルスに分類する制御部と、
前記第１及び第２電極に前記少なくとも２つのサステインパルスを供給する駆動部と、  を備え、
前記第１及び第２サステインパルスは、周期が互いに同じであることを特徴とする、プラズマ表示装置。
【請求項８】
前記少なくとも２つのサステインパルスは、
第１サステインパルスと、
ハイレベル電圧の印加時点が、前記第１サステインパルスより早い第２サステインパルスとを含むことを特徴とする、請求項７に記載のプラズマ表示装置。
【請求項９】
前記制御部は、前記複数のサブフィールドのうち少なくともいずれか１つのサブフィールドに割り当てられたサステインパルスの総個数のうち前記第１サステインパルスの個数を第１個数として設定し、第２サステインパルスの個数を前記総個数と前記第１個数との差である第２個数として設定することを特徴とする、請求項８に記載のプラズマ表示装置。
【請求項１０】
前記制御部は、前記フレームの間の画面負荷率に応じて前記第１個数に対する第２個数の割合を調節することを特徴とする、請求項９に記載のプラズマ表示装置。
【請求項１１】
前記画面負荷率が高い場合、前記制御部は、前記第１個数に対する第２個数の割合を高め、前記画面負荷率が低い場合、前記制御部は、前記第１個数に対する前記第２個数の割合を低めることを特徴とする、請求項１０に記載のプラズマ表示装置。
【請求項１２】
前記制御部は、前記複数のサブフィールドのうち少なくともいずれか１サブフィールドで発光する放電セルの割合に応じて前記第１個数に対する前記第２個数の割合を調節することを特徴とする、請求項９に記載のプラズマ表示装置。
【請求項１３】
前記表示負荷率が高い場合、前記制御部は、前記第１個数に対する第２個数の割合を高め、前記表示負荷率が低い場合、前記制御部は、前記第１個数に対する前記第２個数の割合を低めることを特徴とする、請求項１２に記載のプラズマ表示装置。
【請求項１４】
前記駆動部は、電力回収回路及びサステイン電圧供給部を含み、
前記電力回収回路は、電力回収用キャパシタと、前記電力回収用キャパシタの一端に接続された第１及び第２スイッチと、前記第１スイッチと前記第２スイッチとの間に接続されたインダクタとを含み、
前記サステイン電圧供給部は、ハイレベル電圧を供給する電源に接続された第３スイッチと、ローレベル電圧を供給する電源に接続された第４スイッチとを含むことを特徴とする、請求項８〜１３のいずれかに記載のプラズマ表示装置。
【請求項１５】
前記第１サステインパルスを前記ローレベル電圧から前記ハイレベル電圧に立ち上げるための前記第１スイッチのオンタイミングと、前記第２サステインパルスを前記ローレベル電圧から前記ハイレベル電圧に立ち上げるための前記第１スイッチのオンタイミングとは異なることを特徴とする、請求項１４に記載のプラズマ表示装置。
【請求項１６】
前記第１サステインパルスの前記ハイレベル電圧の印加時点を決定する前記第３スイッチのターンオン時点と、前記第２サステインパルスの前記ハイレベル電圧の印加時点を決定する前記第３スイッチのターンオン時点とは異なることを特徴とする、請求項１４に記載のプラズマ表示装置。
【請求項１７】
複数の第１電極と、前記複数の第１電極とともに表示動作を行う複数の第２電極とを含むプラズマ表示パネルと、
多数のサブフィールドのうち少なくともいずれか１つのサブフィールドのサステイン期間の間、前記複数の第１電極及び第２電極に、ローレベル電圧と前記ローレベル電圧より高いハイレベル電圧を有する第１及び第２サステインパルスを反対位相に印加する駆動部と、
前記ローレベル電圧から前記ハイレベル電圧に変更される時間が異なり周期が同じになるように、前記第１及び第２サステインパルスを設定する制御部と、
を備えることを特徴とする、プラズマ表示装置。
【請求項１８】
前記第１サステインパルスのハイレベル電圧の印加時点が、前記第２サステインパルスのハイレベル電圧の印加時点より遅いことを特徴とする、請求項１７に記載のプラズマ表示装置。
【請求項１９】
前記制御部は、前記複数のサブフィールドのうち少なくともいずれか１つのサブフィールドに割り当てられたサステインパルスの総個数のうち前記第１サステインパルスの個数を第１個数として設定し、第２サステインパルスの個数を前記総個数と前記第１個数との差である第２個数として設定することを特徴とする、請求項１８に記載のプラズマ表示装置。
【請求項２０】
前記制御部は、前記フレームの間の画面負荷率または前記複数のサブフィールドのうち少なくともいずれか１つのサブフィールドで発光する放電セルの割合である表示負荷率に応じて前記第１個数に対する第２個数の割合を調節することを特徴とする、請求項１９に記載のプラズマ表示装置。
【請求項２１】
前記画面負荷率または表示負荷率が高い場合、前記制御部は、前記第１個数に対する第２個数の割合を高め、前記画面負荷率が低い場合、前記制御部は、前記第１個数に対する前記第２個数の割合を低めることを特徴とする、請求項２０に記載のプラズマ表示装置。
【請求項２２】
前記駆動部は、電力回収回路及びサステイン電圧供給部を含み、
前記電力回収回路は、電力回収用キャパシタと、前記電力回収用キャパシタの一端に接続された第１及び第２スイッチと、前記第１スイッチと第２スイッチとの間に接続された共振用インダクタと、を含み、
前記サステイン電圧供給部は、ハイレベル電圧を供給する電源に接続された第３スイッチと、ローレベル電圧を供給する電源に接続された第４スイッチとを含むことを特徴とする、請求項１７〜２１のいずれかに記載のプラズマ表示装置。
【請求項２３】
前記第１サステインパルスを前記ローレベル電圧から前記ハイレベル電圧に立ち上げるための前記第１スイッチのオンタイミングと、前記第２サステインパルスを前記ローレベル電圧から前記ハイレベル電圧に立ち上げるための前記第１スイッチのオンタイミングとは、異なることを特徴とする、請求項２２に記載のプラズマ表示装置。
【請求項２４】
前記第１サステインパルスのハイレベル電圧の印加時点を決定する前記第３スイッチのターンオン時点と、前記第２サステインパルスのハイレベル電圧の印加時点を決定する前記第３スイッチのターンオン時点とは、異なることを特徴とする、請求項２２に記載のプラズマ表示装置。
【発明の詳細な説明】
【技術分野】
【０００１】
本発明は、プラズマ表示装置及びプラズマ表示装置の駆動方法に関し、特に輝度表現を多様化できるプラズマ表示装置及びプラズマ表示装置の駆動方法に関する。
【背景技術】
【０００２】
プラズマ表示装置は、気体放電によって生成されたプラズマを用いて文字または映像を表示する表示装置である。プラズマ表示装置は、画像を表示させるプラズマ表示パネルと、プラズマ表示パネルを駆動するための多数の駆動回路部とを含む。
【０００３】
このようなプラズマ表示装置は、１フレームがそれぞれの加重値を有する複数のサブフィールドに分割されて駆動される。各サブフィールドのアドレス期間中には発光セルと非発光セルが選択され、サステイン期間中には実際に映像を表示するために発光セルに対してサステイン放電が行われる。そして、セルが発光するサブフィールドの加重値の組み合わせによって階調が表現される。
【０００４】
従来のプラズマ表示装置は、サステイン期間の間に、サステイン電圧が印加される時点が同一であるサステインパルスを表示パネルに供給して輝度を具現する。この場合、等しい個数のサステインパルスによって表示される輝度は、負荷率に応じて異なる。したがって、各サブフィールドに一定の割合で割り当てられたサステインパルスの個数だけでは、プラズマ表示装置における所望の輝度を表示するのに限界がある。
【発明の開示】
【発明が解決しようとする課題】
【０００５】
そこで、本発明は、上記問題に鑑みてなされたものであり、本発明の目的とするところは、輝度表現を多様化することが可能な、新規かつ改良されたプラズマ表示装置及びプラズマ表示装置の駆動方法を提供することにある。
【課題を解決するための手段】
【０００６】
上記課題を解決するために、本発明のある観点によれば、１フレームを複数のサブフィールドに分割して駆動するプラズマ表示装置の駆動方法において、前記複数のサブフィールドのうち少なくともいずれか１つのサブフィールドに割り当てられたサステインパルスを、ハイレベル電圧の印加時点が異なる少なくとも２つのサステインパルスに分類するステップと、少なくとも２つのサステインパルスを、表示動作を行う第１電極及び第２電極に供給するステップと、を含み、少なくとも２つのサステインパルスは、周期が同じであることを特徴とするプラズマ表示装置の駆動方法が提供される。
【０００７】
また、少なくとも２つのサステインパルスに分類するステップは、第１サステインパルスと、ハイレベル電圧の印加時点が第１サステインパルスより早い第２サステインパルスとに分類するステップを含むようにしてもよい。
【０００８】
また、少なくとも２つのサステインパルスに分類するステップは、１フレームの間に入力される複数の映像信号から画面負荷率を計算するステップと、画面負荷率に応じて１フレームの間のサステインパルスの総個数を決定するステップと、サステインパルスの総個数から複数のサブフィールドにそれぞれ割り当てられた第１サステインパルスの個数を第１個数として設定し、第２サステインパルスの個数を総個数と第１個数との差である第２個数として設定するステップと、を含むようにしてもよい。
【０００９】
また、第１及び第２サステインパルスの個数を設定するステップは、画面負荷率が高い場合、第１個数に対する第２個数の割合を高め、画面負荷率が低い場合、第１個数に対する第２個数の割合を低めるステップを含むようにしてもよい。
【００１０】
また、少なくとも２つのサステインパルスに分類するステップは、複数の映像信号をそれぞれ複数のサブフィールドデータに変換するステップと、各サブフィールドにおいて、複数のサブフィールドデータのうち該当サブフィールドに対応するデータから該当サブフィールドにおける表示負荷率を計算するステップと、表示負荷率に応じてサステインパルスの総個数から複数のサブフィールドにそれぞれ割り当てられた第１サステインパルスの個数を第１個数として設定し、第２サステインパルスの個数を総個数と第１個数との差である第２個数として設定するステップを含むようにしてもよい。
【００１１】
また、第１及び第２サステインパルスの個数を設定するステップは、表示負荷率が高い場合、第１個数に対する第２個数の割合を高め、表示負荷率が低い場合、第１個数に対する第２個数の割合を低めるステップを含むようにしてもよい。
【００１２】
また、上記課題を解決するために、本発明の別の観点によれば、複数の第１電極と複数の第１電極とともに表示動作を行う複数の第２電極とを含むプラズマ表示パネルと、１フレームを複数のサブフィールドに分割して、複数のサブフィールドのうち少なくともいずれか１つのサブフィールドに割り当てられたサステインパルスをハイレベル電圧の印加時点が異なる少なくとも２つのサステインパルスに分類する制御部と、第１及び第２電極に少なくとも２つのサステインパルスを供給する駆動部と、を備え、第１及び第２サステインパルスは周期が互いに同じであることを特徴とするプラズマ表示装置が提供される。
【００１３】
また、少なくとも２つのサステインパルスは、第１サステインパルスと、ハイレベル電圧の印加時点が、第１サステインパルスより早い第２サステインパルスとを含むようにしてもよい。
【００１４】
また、制御部は、複数のサブフィールドのうち少なくともいずれか１つのサブフィールドに割り当てられたサステインパルスの総個数のうち第１サステインパルスの個数を第１個数として設定し、第２サステインパルスの個数を総個数と第１個数との差である第２個数として設定するようにしてもよい。
【００１５】
また、制御部は、フレームの間の画面負荷率に応じて第１個数に対する第２個数の割合を調節するようにしてもよい。
【００１６】
また、画面負荷率が高い場合、制御部は、第１個数に対する第２個数の割合を高め、画面負荷率が低い場合、制御部は、第１個数に対する第２個数の割合を低めるようにしてもよい。
【００１７】
また、制御部は、複数のサブフィールドのうち少なくともいずれか１サブフィールドで発光する放電セルの割合に応じて第１個数に対する第２個数の割合を調節するようにしてもよい。
【００１８】
また、表示負荷率が高い場合、制御部は、第１個数に対する第２個数の割合を高め、表示負荷率が低い場合、制御部は、第１個数に対する第２個数の割合を低めるようにしてもよい。
【００１９】
また、駆動部は、電力回収回路及びサステイン電圧供給部を含み、電力回収回路は、電力回収用キャパシタと、電力回収用キャパシタの一端に接続された第１及び第２スイッチと、第１スイッチと第２スイッチとの間に接続されたインダクタとを含み、サステイン電圧供給部は、ハイレベル電圧を供給する電源に接続された第３スイッチと、ローレベル電圧を供給する電源に接続された第４スイッチとを含むようにしてもよい。
【００２０】
また、第１サステインパルスをローレベル電圧からハイレベル電圧に立ち上げるための第１スイッチのオンタイミングと、第２サステインパルスをローレベル電圧からハイレベル電圧に立ち上げるための第１スイッチのオンタイミングとは異なるようにしてもよい。
【００２１】
また、第１サステインパルスのハイレベル電圧の印加時点を決定する第３スイッチのターンオン時点と、第２サステインパルスのハイレベル電圧の印加時点を決定する第３スイッチのターンオン時点とは異なるようにしてもよい。
【００２２】
また、上記課題を解決するために、本発明の別の観点によれば、複数の第１電極と複数の第１電極とともに表示動作を行う複数の第２電極とを含むプラズマ表示パネルと、多数のサブフィールドのうち少なくともいずれか１つのサブフィールドのサステイン期間の間、複数の第１及び第２電極にローレベル電圧とローレベル電圧より高いハイレベル電圧を有する第１及び第２サステインパルスを反対位相に印加する駆動部と、ローレベル電圧からハイレベル電圧に変更される時間が異なり周期が同じになるように、第１及び第２サステインパルスを設定する制御部と、を備えることを特徴とするプラズマ表示装置が提供される。
【００２３】
ここで、第１サステインパルスのハイレベル電圧の印加時点は、第２サステインパルスのハイレベル電圧の印加時点より遅くなるようにしてもよい。
【００２４】
また、制御部は、複数のサブフィールドのうち少なくともいずれか１つのサブフィールドに割り当てられたサステインパルスの総個数のうち第１サステインパルスの個数を第１個数として設定し、第２サステインパルスの個数を総個数と第１個数の差である第２個数として設定するようにしてもよい。
【００２５】
また、制御部は、フレームの間の画面負荷率または複数のサブフィールドのうち少なくともいずれか１つのサブフィールドで発光する放電セルの割合である表示負荷率に応じて第１個数に対する第２個数の割合を調節するようにしてもよい。
【００２６】
また、画面負荷率または表示負荷率が高い場合、制御部は、第１個数に対する第２個数の割合を高め、画面負荷率が低い場合、制御部は、第１個数に対する第２個数の割合を低めるようにしてもよい。
【００２７】
また、駆動部は、電力回収回路及びサステイン電圧供給部を含み、電力回収回路は、電力回収用キャパシタと、電力回収用キャパシタの一端に接続された第１及び第２スイッチと、第１スイッチと第２スイッチとの間に接続された共振用インダクタと、を含み、サステイン電圧供給部は、ハイレベル電圧を供給する電源に接続された第３スイッチと、ローレベル電圧を供給する電源に接続された第４スイッチとを含むようにしてもよい。
【００２８】
また、第１サステインパルスをローレベル電圧からハイレベル電圧に立ち上げるための第１スイッチのオンタイミングと、第２サステインパルスをローレベル電圧からハイレベル電圧に立ち上げるための第１スイッチのオンタイミングとは、異なるようにしてもよい。
【００２９】
また、第１サステインパルスのハイレベル電圧の印加時点を決定する第３スイッチのターンオン時点と、第２サステインパルスのハイレベル電圧の印加時点を決定する第３スイッチのターンオン時点とは、異なるようにしてもよい。
【発明の効果】
【００３０】
以上説明したように本発明によれば、プラズマ表示装置における輝度表現を多様化することができる。
【発明を実施するための最良の形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
図１は、本発明の一実施形態にかかるプラズマ表示装置を示すブロック図である。
【００３３】
図１を参照して説明すると、本実施形態にかかるプラズマ表示装置は、画像が表示されるプラズマ表示パネル１０６と、プラズマ表示パネル１０６のアドレス電極Ａ１〜Ａｍにデータを供給するためのアドレス駆動部１０４と、スキャン電極Ｙ１〜Ｙｎ（または、第１電極とする）を駆動するためのスキャン駆動部１０２と、サステイン電極Ｘ１〜Ｘｎ（または、第２電極とする）を駆動するためのサステイン駆動部１０８と、各駆動部１０２、１０４、１０８を制御する制御部１１０とを備える。
【００３４】
プラズマ表示パネル１０６は、マトリクス状に配列された多数の放電セルＣを用いて画像を表示する。放電セルＣは、列方向に延びた多数のアドレス電極Ａ１〜Ａｍと、行方向に延びた多数のスキャン電極Ｙ１〜Ｙｎと、スキャン電極Ｙ１〜Ｙｎと対を成して行方向に延びた多数のサステイン電極Ｘ１〜Ｘｎとにより構成される。ここで、アドレス電極Ａ１〜Ａｍは、スキャン電極Ｙ１〜Ｙｎ及びサステイン電極Ｘ１〜Ｘｎと交差するように形成される。
【００３５】
制御部１１０は、垂直／水平同期信号を入力されて各駆動部１０２、１０４、１０８に必要なアドレス制御信号、スキャン制御信号、及びサステイン制御信号を生成する。生成された制御信号は、該当する駆動部１０２、１０４、１０８に供給され、これにより、制御部１１０は各駆動部１０２、１０４、１０８を制御する。
【００３６】
また、制御部１１０は、１フレームを複数のサブフィールドに分割して駆動する。各サブフィールドは、時間的な動作変化により表現すると、リセット期間、アドレス期間、及びサステイン期間からなる。特に、制御部１１０は、１フレームの間に入力される映像信号からの負荷率と、これに対応するＡＰＣ（Ａｕｔｏ  Ｐｏｗｅｒ  Ｃｏｎｔｒｏｌ）レベルを判断して、１フレームに割り当てられるサステインパルスの総個数を決定し、決められたサステインパルスの総個数を複数のサブフィールドに割り当てる。このとき、制御部１１０は、各サブフィールドに割り当てられたサステインパルスの個数が該当サブフィールドの加重値に比例するように、サステインパルスを複数のサブフィールドに割り当てることができる。そして、制御部１１０は、各サブフィールドに割り当てられたサステインパルスを、互いに同じ周期を有し、ハイレベル電圧の印加時点が異なる第１及び第２サステインパルスに分類する。分類された第１及び第２サステインパルスは、制御部１１０によって各サブフィールドに割り当てられる割合が決定される。このような制御部１１０については、図７及び図８を参照して後で具体的に説明する。
【００３７】
アドレス駆動部１０４は、制御部１１０からのアドレス制御信号に応じて、表示しようとする放電セルを選択するためのデータ信号を各アドレス電極Ａに供給する。
【００３８】
スキャン駆動部１０２は、制御部１１０からのスキャン制御信号に応じて、スキャン電極Ｙ１〜Ｙｎに駆動電圧を印加する。特に、スキャン駆動部１０２は、サステイン期間の間、互いに同じ周期を有し、ハイレベル電圧の印加時点が異なる第１及び第２サステインパルスをスキャン電極Ｙに供給する。
【００３９】
サステイン駆動部１０８は、制御部１１０からのサステイン制御信号に応じて、サステイン電極Ｘに駆動電圧を印加する。特に、サステイン駆動部１０８は、サステイン期間の間、互いに同じ周期を有し、ハイレベル電圧の印加時点が異なる第１及び第２サステインパルスをサステイン電極Ｘに供給する。
【００４０】
図２は、本実施形態にかかるプラズマ表示装置の画像を表示する単位フレームを示した図面である。
【００４１】
図２に示されたように、画像を表示する単位フレームは、時分割階調表現を行うために８個のサブフィールドＳＦ１〜ＳＦ８に分けられる。各サブフィールドは、リセット期間ＲＰ１〜ＲＰ８、アドレス期間ＡＰ１〜ＡＰ８、サステイン期間ＳＰ１〜ＳＰ８に分割される。
【００４２】
プラズマディスプレイパネルの輝度は、単位フレームで占めるサステイン周期ＳＰ１〜ＳＰ８の長さに比例する。単位フレームで占めるサステイン周期ＳＰ１〜ＳＰ８の長さは、２５５Ｔ（Ｔは単位時間）である。このとき、第ｎサブフィールドＳＦｎのサステイン周期ＳＰｎには、２ｎに相応する時間がそれぞれ設定される。これによって、８個のサブフィールドのうち表示されるサブフィールドを適切に選択すれば、いずれのサブフィールドにおいても表示されない０階調を含めてトータル２５６階調の表示を行うことができる。
【００４３】
一方、図面においては、単位フレームを８個のサブフィールドＳＦ１〜ＳＦ８に分け、各サブフィールドの階調加重値を第１サブフィールドＳＦ１から第８サブフィールドＳＦ８まで１Ｔ、２Ｔ、・・・１２８Ｔのように割り当てたが、これは一例に過ぎず、本発明はかかる例に限定されない。すなわち、単位フレームのサブフィールド数は８個より少なくても多くてもよく、サブフィールド毎の階調加重値の割当ても、例示したものと異なり設計仕様によって変更することができる。
【００４４】
図３は、図２に示されたリセット期間、アドレス期間、及びサステイン期間に供給される駆動波形を詳細に示す図面である。
【００４５】
図３に示されたように、各サブフィールドのリセット期間の立上り期間においては、サステイン電極Ｘを基準電圧（図３では０Ｖ）に維持した状態で、スキャン電極ＹにＶｓ電圧からＶｓｅｔ電圧まで漸進的に増加する立上りランプパルスが供給される。すると、スキャン電極Ｙの電圧が増加する途中にスキャン電極Ｙとサステイン電極Ｘ間、及びスキャン電極ＹとアドレスＡ電極間で微弱な放電が起きる。
【００４６】
そして、リセット期間の立下り期間においては、サステイン電極ＸにＶｅ電圧を印加した状態でスキャン電極のに電圧がＶｓ電圧からＶｎｆ電圧まで漸進的に減少する。すると、サステイン電極Ｘの電圧が減少する途中にスキャン電極Ｙとサステイン電極Ｘ間、及びスキャン電極Ｙとアドレス電極Ａ間で微弱なリセット放電が起きながら放電セルが初期化される。
【００４７】
アドレス期間においては、発光する放電セルを選択するため、スキャン電極Ｙに順次ＶｓｃＬ電圧を有する走査パルスを印加してＶｓｃＬ電圧が印加されないスキャン電極ＹをＶｓｃＨ電圧にバイアスする。そして、ＶｓｃＬ電圧が印加されたスキャン電極Ｙによって形成される複数の放電セルのうち選択しようとする放電セルを通過するアドレス電極ＡにＶａ電圧を有するアドレスパルスを印加し、選択しないアドレス電極Ａは基準電圧（図３では０Ｖ）にバイアスする。すると、Ｖａ電圧が印加されたアドレス電極ＡとＶｓｃＬ電圧が印加されたスキャン電極Ｙによって形成される放電セルでアドレス放電が起きる。
【００４８】
サステイン期間においては、スキャン電極Ｙ及びサステイン電極Ｘにハイレベル電圧（図３ではＶｓ電圧）と、ローレベル電圧（図３では０Ｖ）を有するサステインパルスが交互に印加される。すなわち、サステイン期間の間、スキャン電極Ｙにはハイレベル電圧Ｖｓとローレベル電圧０Ｖとを交互に有するサステインパルスが供給され、サステイン電極Ｘにはスキャン電極Ｙに供給されるサステインパルスと反対位相を有するサステインパルスが供給される。これによって、オンされる放電セルのスキャン電極Ｙとサステイン電極Ｘとの間でサステイン放電が起きる。
【００４９】
一方、多数のサブフィールドのうち少なくともいずれか１つのサブフィールドには、図３及び図４ａに示されたＭ個の第１サステインパルスと、図３及び図４ｂに示された（Ｎ−Ｍ）個の第２サステインパルスとが割り当てられる。ここで、第１及び第２サステインパルスそれぞれの一周期は、ローレベル電圧（０Ｖ）からハイレベル電圧Ｖｓに立ち上がる第１期間Ｔ１１、Ｔ２１と、ハイレベル電圧Ｖｓを維持する第２期間Ｔ１２、Ｔ２２と、ハイレベル電圧Ｖｓからローレベル電圧０Ｖに立ち下がる第３期間Ｔ１３、Ｔ２３と、ローレベル電圧（０Ｖ）を維持する第４期間Ｔ１４、Ｔ２４とを含む。このような第１サステインパルスは第１周期Ｔ１で繰り返される。また、第２サステインパルスは第１周期Ｔ１と同じ第２周期Ｔ２で繰り返され、ローレベル電圧（０Ｖ）からハイレベル電圧Ｖｓに立ち上がる第１期間Ｔ２１が第１サステインパルスの第１期間Ｔ１１より短い。このように、第１サステインパルスは、第２サステインパルスと比較して第１期間Ｔ１１が相対的に長く、ハイレベル電圧Ｖｓの印加時点が相対的に遅くなる。これによって、ローレベル電圧（０Ｖ）からハイレベル電圧Ｖｓに立ち上がる第１期間Ｔ１１でサステイン放電が起きる。この場合、サステイン放電のための電流がハイレベル電圧Ｖｓを供給する電源によって供給されず共振電流によって供給されるため、サステイン放電が相対的に弱く起きる。
【００５０】
一方、第２サステインパルスは、第１サステインパルスと比較して第１期間Ｔ２１が相対的に短く、ハイレベル電圧Ｖｓの印加時点が相対的に早い。これによって、ハイレベル電圧Ｖｓが印加された第２期間Ｔ２２にサステイン放電が起きるため、サステイン放電が相対的に強く起きる。
【００５１】
このように、本実施形態にかかるプラズマ表示装置は、複数のサブフィールドのうち少なくともいずれか１サブフィールドに割り当てられたサステインパルスの個数が従来と同じであっても、ハイレベル電圧の印加時点が異なる第１及び第２サステインパルスの割合に応じて輝度が変わる。
【００５２】
一方、図４ａ及び図４ｂに示されたハイレベル電圧の印加時点が異なる第１及び第２サステインパルスを生成する装置については、図５を参照して詳しく説明する。
【００５３】
図５は、図４ａ及び図４ｂに示されたサステインパルスを生成するサステインパルス生成部を示す。
【００５４】
図５に示されたサステインパルス生成部１３０は、電力回収回路１３２及びサステイン電圧供給部１３４を含む。ここで、サステインパルス生成部１３０は、スキャン駆動部１０２及びサステイン駆動部１０８内に形成される。
【００５５】
電力回収回路１３２は、第１及び第２スイッチＳ１、Ｓ２、インダクタＬ、第１及び第２ダイオードＤ１、Ｄ２及び電力回収用キャパシタＣｅｒを含む。第１スイッチＳ１のドレーンと第２スイッチＳ２のソースとの接点に電力回収用キャパシタＣｅｒが電気的に接続され、第１及び第２スイッチＳ１、Ｓ２それぞれに第１及び第２ダイオードＤ１、Ｄ２がそれぞれ直列に接続される。そして、第１ダイオードＤ１と第２ダイオードＤ２との間の接点と、サステイン電圧供給部１３４の第３スイッチＳ３と第４スイッチＳ４との間の接点との間にインダクタＬの一端が電気的に接続され、インダクタＬの他端にはパネルキャパシタＣｐのスキャン電極及びサステイン電極が直列に繋がれる。第１ダイオードＤ１は、第１スイッチＳ１がボディ・ダイオードを有する場合にパネルキャパシタＣｐの電圧を増加させる立上り経路を設定するためのものである。また、第２ダイオードＤ２は、第２スイッチＳ２がボディ・ダイオードを有する場合にパネルキャパシタＣｐの電圧を減少させる立下り経路を設定するためのものである。このとき、第１及び第２スイッチＳ１、Ｓ２がボディ・ダイオードを持たなければ、第１及び第２ダイオードＤ１、Ｄ２を除去することもできる。このように接続された電力回収回路１３２は、スキャン電極Ｙ及びサステイン電極Ｘの電圧をＶｓ電圧で充電させたり、接地電圧で放電させる役割をする。
【００５６】
そして、電力回収回路１３２においてインダクタＬ、第１ダイオードＤ１、及び第２スイッチＳ１の間の連結順番は変更することができ、同様にインダクタＬ、第２ダイオードＤ２、及び第２スイッチＳ２の間の連結順番も変更することができる。
【００５７】
サステイン電圧供給部１３４は、電力回収回路１３２とパネルキャパシタＣｐとの間に接続され、第３及び第４スイッチＳ３、Ｓ４を含む。第３スイッチＳ３は、サステイン電圧Ｖｓを供給する電源とパネルキャパシタＣｐとの間に接続され、第３スイッチＳ４は、接地電圧０Ｖを供給する電源とパネルキャパシタＣｐとの間に接続される。第３及び第４スイッチＳ３、Ｓ４は、スキャン電極Ｙ及びサステイン電極ＸにＶｓ電圧及び接地電圧（０Ｖ電圧）をそれぞれ供給する。
【００５８】
一方、図５に示されたサステインパルス生成部１３０の動作については、図６ａ及び図６ｂを参照して詳しく説明する。
【００５９】
図６ａ及び図６ｂは、それぞれ、図４ａ及び図４ｂにそれぞれ示されたサステインパルスを生成するためのスイッチ素子の駆動タイミングを示した図面である。
【００６０】
ここで、第１期間Ｔ１１、第２期間Ｔ１２の前に、第４スイッチＳ４がターンオンされており、パネルキャパシタＣｐの両端電圧は０Ｖを維持し、電力回収用キャパシタＣｅｒにはハイレベル電圧Ｖｓの１／２程度の電圧Ｖｓ／２があらかじめ充電されているものと仮定する。
【００６１】
図６ａ及び図６ｂに示すように、第１期間Ｔ１１、Ｔ２１では第１スイッチＳ１をターンオンして、残りの第２〜第４スイッチＳ２、Ｓ３、Ｓ４をターンオフする。これによって、電力回収用キャパシタＣ、第１スイッチＳ１、第１ダイオードＤ１、インダクタＬ、パネルキャパシタＣｐに電流経路が形成される。この経路によってＬＣ共進回路が形成され、パネルの出力電圧をハイレベル電圧Ｖｓまで漸進的に立ち上げることができる。一方、輝度表現の多様化のために、スキャン電極Ｙ及びサステイン電極Ｘに第１サステインパルスが供給される場合には、図６ａに示すようにスキャン電極Ｙ及びサステイン電極Ｘの電圧をハイレベル電圧Ｖｓより低いＶｓ１電圧まで立ち上げる。そして、スキャン電極Ｙ及びサステイン電極Ｘに第２サステインパルスが供給される場合には、図６ｂに示すように、スキャン電極Ｙ及びサステイン電極Ｘの電圧をハイレベル電圧Ｖｓより低くＶｓ１電圧以下または以上であるＶｓ２まで立ち上げる。
【００６２】
第２期間Ｔ１２、Ｔ２２では、第３スイッチＳ３をターンオンして、残りの第１、第２、第４スイッチＳ１、Ｓ２、Ｓ４をターンオフする。すると、Ｖｓ電源、第３スイッチＳ３、パネルキャパシタＣｐに電流経路が形成される。この電流経路により、パネルキャパシタＣｐのスキャン電極Ｙ及びサステイン電極Ｘはハイレベル電圧Ｖｓを維持する。
【００６３】
第３期間Ｔ１３、Ｔ２３では、第２スイッチＳ２をターンオンして、残りの第１、第３、第４スイッチＳ１、Ｓ３、Ｓ４をターンオフする。すると、パネルキャパシタＣｐ、インダクタＬ、第１ダイオードＤ２、第２スイッチＳ２、電力回収用キャパシタＣｅｒに電流経路が形成される。この電流経路により、ＬＣ共振回路が形成されてパネルキャパシタＣｐに充電されていたハイレベル電圧Ｖｓが放電されて減少する。
【００６４】
第４期間Ｔ１４、Ｔ２４では、第４スイッチＳ４をターンオンして、残りの第１〜第３スイッチＳ１、Ｓ２、Ｓ３をターンオンする。すると、パネルキャパシタＣｐ、第４スイッチ素子Ｓ４、接地端の電流経路が形成される。この電流経路により、パネルキャパシタＣｐのスキャン電極Ｙ及びサステイン電極Ｘはローレベル電圧（０Ｖ）を維持する。
【００６５】
一方、各サブフィールドに割り当てられた第１及び第２サステインパルスの割合は、画面負荷率に応じて調節可能である。すなわち、画面負荷率が増加すれば、発光セルの個数が増加してサステイン放電による電流の大きさが増加する。これにより、スキャン電極Ｙ及びサステイン電極Ｘにおいて、電圧の立下りが増加し、サステイン放電が弱くなって輝度が低くなる。これにより、画面負荷率が高い場合には輝度が低くなるため、第１期間Ｔ２１が短い第２サステインパルスの割合を高める。一方、画面負荷率が低い場合には輝度が高いため、第１期間Ｔ１１が長い第１サステインパルスの割合を高める。これについては、図７を参照して詳しく説明する。
【００６６】
図７は、本実施形態にかかるプラズマ表示装置の制御部の第１実施例を示すブロック図である。
【００６７】
図７に示されたように、制御部１１０は、画面負荷率計算部１１２、サステイン制御部１１４、サステインパルス割当部１１６、サブフィールド生成部１２０、及び割合決定部１１８を含む。
【００６８】
画面負荷率計算部１１２は、１フレームの間に入力される複数の映像信号から画面負荷率を計算する。例えば、１フレームの映像信号の平均信号レベルで画面負荷率を計算することができる。ここで、複数映像信号は複数の放電セル（図１のＣ）にそれぞれ対応する。
【００６９】
サステイン制御部１１４は、画面負荷率に応じてフレームに割り当てられるサステインパルスの総個数を決定する。サステイン制御部１１４は、画面負荷率に応じたサステインパルスの総個数をルックアップテーブル（ｌｏｏｋｕｐ  ｔａｂｌｅ）の形態で保存したり、画面負荷率に対応するデータをロジッグ演算してサステインパルスの総個数を計算することもできる。すなわち、発光セルが多くなって画面負荷率が高くなれば、サステインパルスの総個数を減らして消費電力が高くなることを防止することができる。
【００７０】
サステインパルス割当部１１６は、１フレームに割り当てられたサステインパルスを輝度加重値に比例するように複数のサブフィールドＳＦ１〜ＳＦ８にそれぞれ割り当てる。
【００７１】
サブフィールド生成部１２０は、１フレームの映像信号をサブフィールドデータに変換する。
【００７２】
割合決定部１１８は、各サブフィールドＳＦ１〜ＳＦ８に割り当てられたサステインパルスのうちハイレベル電圧の印加時点が異なる第１及び第２サステインパルスの割合を決定する。具体的に、割合決定部１１８は、画面負荷率計算部１１２で計算された画面負荷率が相対的に高い場合には、ハイレベル電圧の印加時点が相対的に早い第２サステインパルスの割合を第１サステインパルスの割合より高める。そして、割合決定部１１８は、画面負荷率計算部１１２で計算された画面負荷率が相対的に低い場合には、ハイレベル電圧の印加時点が相対的に遅い第１サステインパルスの割合を第２サステインパルスの割合より高める。これによって、プラズマ表示パネルの画面上に表現される輝度Ｌは数式１のようにハイレベル電圧の印加時点が異なる第１及び第２サステインパルスの割合を調節することで、所望の輝度に設定することができる。
【００７３】
【数１】
2008070858.tif 000003
【００７４】
ここで、Ａは、第１サステインパルスの第１個数（Ｍ）による輝度であり、Ｂは、第２サステインパルスの第２個数（Ｎ−Ｍ；ここで、Ｎは１サブフィールドに割り当てられるサステインパルスの総個数）による輝度である。
【００７５】
第１実施例においては、１フレームの画面負荷率で維持放電パルスの周期の割合を決定したが、これとは違って１サブフィールドの表示負荷率で維持放電パルスの周期の割合を決定することができる。これについては、図８を参照して説明する。
【００７６】
図８は、本実施形態にかかるプラズマ表示装置の制御部の第２実施例を示すブロック図である。
【００７７】
図８に示された制御部１１０は、図７に示された制御部と比較して、表示負荷率計算部１２２をさらに含むことを除いては実質的に同一の構成要素を備える。したがって、同一の構成要素に対する詳細な説明は省略する。
【００７８】
表示負荷率計算部１２２は、各サブフィールドＳＦ１〜ＳＦ８でサブフィールドデータをもって表示負荷率を計算する。すなわち、表示負荷率計算部１２２は、全体放電セルの個数と各サブフィールドでの発光セルの個数との比で該当サブフィールドにおける表示負荷率を決定する。
【００７９】
割合決定部１１８は、各サブフィールドで該当サブフィールドの表示負荷率に応じて第１及び第２サステインパルスの割合を決定する。割合決定部１１８は、表示負荷率が高い場合、第２サステインパルスの割合を第１サステインパルスの割合より高める。そして、割合決定部１１８は、表示負荷率が低い場合、第１サステインパルスの割合を第２サステインパルスの割合より高める。
【００８０】
具体的に、サステインパルス割当部１１６がｉ番目サブフィールドＳＦｉにＮ個のサステインパルスを割り当てた場合に、割合決定部１１８は数式１のように第１サステインパルスの第１個数（Ｍ）と第２サステインパルスの第２個数（Ｎ−Ｍ）を決定することができる。このようにすれば、各サブフィールドで発光セルの個数に応じてサステインパルスの割合が決まるので、サブフィールド別に発光セルの個数に関係なく輝度特性を一定に維持することができる。
【００８１】
一方、本実施形態にかかるプラズマ表示装置は、画面負荷率または表示負荷率に応じてハイレベル電圧の印加時点が相異なる第１及び第２サステインパルスの割合を決定することと説明したが、他の方法で第１及び第２サステインパルスの割合を決定することもできる。そして、ハイレベル電圧の印加時点が相異なる第１及び第２サステインパルスを使うことと説明したが、ハイレベル電圧の印加時点が相異なる３つ以上のサステインパルスを使うこともできる。
【００８２】
図９は、本実施形態にかかるプラズマ表示装置の負荷率による輝度関係を説明するための図面である。
【００８３】
図９に示すように、第１及び第２サステインパルスの割合を調整して所望の輝度を得ることができる。具体的には、任意のサブフィールドに割り当てられたサステインパルス数が１００個である場合を例に挙げて説明する。同じ画面負荷率または表示負荷率の条件で第１及び第２サステインパルスの割合が０：１００であれば、１４０ｃｄ／ｍ２の輝度を表し、第１及び第２サステインパルスの割合が１００：０であれば、１２０ｃｄ／ｍ２の輝度を表し、第１及び第２サステインパルスの割合が５０：５０であれば、１３０ｃｄ／ｍ２の輝度を表す。このように、第１及び第２サステインパルスの割合を調節することで所望の輝度曲線を得ることができる。このような方法を通じて０．１ｃｄ／ｍ２より低い分解能力を有するサブフィールドの輝度を制御することができる。
【００８４】
このように、本実施形態にかかるプラズマ表示装置は、各サブフィールドに割り当てられたサステインパルスを、周期が同じであってハイレベル電圧の印加時点が相異なる第１及び第２サステインパルスでスキャン電極及びサステイン電極に供給する。これにより、プラズマ表示装置における輝度表現を多様化することができる。
【００８５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００８６】
【図１】本発明の一実施形態にかかるプラズマ表示装置を示すブロック図である。
【図２】本発明の一実施形態にかかるサブフィールド配列を示す図である。
【図３】本発明の一実施形態にかかるプラズマ表示装置の駆動波形を示す図である。
【図４ａ】図３に示された第１サステインパルスを具体的に示す波形図である。
【図４ｂ】図３に示された第２サステインパルスを具体的に示す波形図である。
【図５】図４ａ及び図４ｂに示されたサステインパルスを生成するためのサステインパルス生成部を構成する駆動回路を示す図である。
【図６ａ】図４ａに示された第１サステインパルスを生成するためのスイッチ素子の駆動タイミングを示した図である。
【図６ｂ】図４ｂに示された第２サステインパルスを生成するためのスイッチ素子の駆動タイミングを示した図である。
【図７】本発明の一実施形態にかかるプラズマ表示装置の制御部の第１実施例を示すブロック図である。
【図８】本発明の一実施形態にかかるプラズマ表示装置の制御部の第２実施例を示すブロック図である。
【図９】本発明の一実施形態にかかるプラズマ表示装置の負荷率による輝度関係を説明するための図である。
【符号の説明】
【００８７】
１０２  スキャン駆動部
１０４  アドレス駆動部
１０６  プラズマ表示パネル
１０８  サステイン駆動部
１１０  制御部
１１２  画面負荷率計算部
１１４  サステイン制御部
１１６  サステインパルス割当部
１１８  割合決定部
１２０  サブフィールド生成部
１２２  表示負荷率計算部
１３０  サステインパルス生成部
１３２  電力回収回路
１３４  サステイン電圧供給部
【図１】
2008070858.tif 000004
【図２】
2008070858.tif 000005
【図３】
2008070858.tif 000006
【図４ａ】
2008070858.tif 000007
【図４ｂ】
2008070858.tif 000008
【図５】
2008070858.tif 000009
【図６ａ】
2008070858.tif 000010
【図６ｂ】
2008070858.tif 000011
【図７】
2008070858.tif 000012
【図８】
2008070858.tif 000013
【図９】
2008070858.tif 000014